(57)【要約】【課題】解体と取付に寄与する空間清潔装置を提供することにあり、既存のエアコン・システム構造に適応でき、且つランニング・コストの安価な第４級アンモニウムの殺菌機能を具するエアコン・システム用の濾過材の構造及びその製作方法。【解決手段】空気による殺菌消毒、継続可能なランニング、及び固有のエアコン施設に対応できる機能を具し、殺菌消毒の需要を具する応用な場所に用いられるように提供し、それが主として中空リング状フレームを、ポーラスな濾過網に応じて解体可能な取付方式によりエアコン・システム通気管路の特定な取付部の内縁嵌合部に取り付けるが、即ち濾過装置が便利な取付構成及びその取付方法を取得することにより、エアコン管路の調整に寄与し、長期間の使用時に空気清浄装置のメンテナンスに対する便利な効果をもたらす。【選択図】図３Ｂ
2007061596.tif 000002
【特許請求の範囲】
【請求項１】
エアコン・システム用の解体可能な濾過装置は、少なくとも、エッジ固定区と濾過区を具するポーラスな濾過網と、
寸法とエアコン・システム通気管路の特定な取付部の内縁嵌合の外枠を具し、当該特定な取付部に解体可能的に取り付けられ、且つ当該中空リング状フレームの中央が空気流動区域である中空リング状フレームと、を含み、
その中でも、当該濾過区に第４級アンモニウム類化合物が付加され、当該第４級アンモニウム化合物が化学結合により当該ポーラスな濾過網に結合し合い、或いは当該第４級アンモニウム化合物が非反応型である時に、界面接続方式により当該ポーラスな濾過網に結合し固着し、
その中でも、当該固定区が当該エアコン・システム・ガスベントの解体可能な中空リング状フレームに設けられ、当該濾過区が当該中空リング状フレームの中央空気流動区域に取り付けられ、
その中でも、当該中空リング状フレームに当該ポーラスな濾過網を設けるのは、外枠の圧力にて当該エッジ固定区に押え付ける方式により、当該ポーラスな濾過網を設け、或いは粘着方式又は金属網の溶接や係合固定の方式により、当該エッジ固定区が中空リング状フレームに接合するもので、
当該解体可能な中空リング状フレームを使用し、当該ポーラスな濾過網を設け、圧力押え付け方式や粘着方式または金属網の溶接や係合固定の方式にて、ガスベントの空気流動に対応することにより、通過した空気の殺菌・消毒の効果を達成し、
当該濾過区に付加された第４級アンモニウム類化合物の反応とガスベントの空気流動により、通過した空気の殺菌・消毒の効果を達成することを特徴とする、エアコン・システム用の解体可能な濾過装置。
【請求項２】
当該ポーラスな濾過網の濾過区の中にナノ金やナノ銀のぺレットが付加され、当該ナノ金やナノ銀のぺレットが化学蒸着により、或いはポーラスな濾過網の濾過区の中におけるカチオン含有樹脂にイオン状の金やイオン状の銀を吸着することにより還元されてなることを特徴とする、請求項１記載のエアコン・システム用の解体可能な濾過装置。
【請求項３】
当該中空リング状フレームは、四角形または円形のフレームであってもよいことを特徴とする、請求項１記載のエアコン・システム用の解体可能な濾過装置。
【請求項４】
当該中空リング状フレームは、截頭柱の管形通気管路であってもよいことを特徴とする、請求項１記載のエアコン・システム用の解体可能な濾過装置。
【請求項５】
当該ポーラスな濾過網は、繊維により織られ、或いは発泡により成型され、或いは金属網により織られることを特徴とする、請求項１記載のエアコン・システム用の解体可能な濾過装置。
【請求項６】
当該繊維は、ガラス繊維成分を具することを特徴とする、請求項５記載のエアコン・システム用の解体可能な濾過装置。
【請求項７】
当該繊維材料は、ＨＥＰＡまたはＵＬＰＡであることを特徴とする、請求項５記載のエアコン・システム用の解体可能な濾過装置。
【請求項８】
当該ポーラスな濾過網は、化学結合により反応型の第４級アンモニウム化合物と結合できる以外に、さらに界面接続方式により永久に非反応型の第４級アンモニウム塩類にも結合し固着でき、そしてメンテナンス・エアコン・システムの洗浄時に除去されにくく、且つエアコン・システムの中に適用できることを特徴とする、請求項５記載のエアコン・システム用の解体可能な濾過装置。
【請求項９】
当該特定な取付部が光源照射部に設けられる時に、ひいては当該ポーラスな濾過網の濾過区の中に、光触媒のナノ・ぺレットが付加され、当該光触媒のナノ・ぺレットは、濾過網がチタニア溶液に浸漬した後に乾燥してなり、或いはチタニア溶液が濾過網にスプレーされることにより、ナノ光触媒ぺレットが形成されることを特徴とする、請求項１記載のエアコン・システム用の解体可能な濾過装置。
【請求項１０】
エアコン・システム用の解体可能な濾過装置の取付方法は、請求項１記載のエアコン・システム用の解体可能な濾過装置を取り付ける方法であって、
（１）ポーラスな濾過網及び中空リング状フレームを製作するステップと、
（２）ポーラスな濾過網と中空リング状フレームをともにエアコン・システム通気管路の特定な取付部に取り付けるステップと、を含み、
その中でも、当該解体可能な中空リング状フレームに当該ポーラスな濾過網が設けられ、外枠の圧力にて当該エッジ固定区に押え付ける方式により当該ポーラスな濾過網を設ける時に、当該エッジ固定区が当該特定な取付部と当該外枠との間に挟まれ、
その中でも、当該解体可能な中空リング状フレームに当該ポーラスな濾過網を設けるのは、粘着方式や金属網の溶接または係合固定の方式により当該エッジ固定区が中空リング状フレームに接合する時に、当該エッジ固定区が当該外枠上に固定され、さらに当該外枠が当該定な取付部に取り付けられるものであることを特徴とする、エアコン・システム用の解体可能な濾過装置の取付方法。
【請求項１１】
エアコン・システム用の解体可能な濾過装置は、少なくとも、織り型のポーラスな濾過網と金属網型ポーラスな濾過網を具しさらに織り型の濾過区と金属網型濾過区を具し且つ当該ポーラスな濾過網の中央が空気流動区域であるポーラスな濾過網と、
寸法とエアコン・システム通気管路の特定な取付部の内縁嵌合の外枠を具し当該特定な取付部に解体可能的に取り付けられる取付対応部と、を含み、
その中でも、当該濾過区に第４級アンモニウム類化合物が付加され、当該第４級アンモニウム化合物が化学結合により当該ポーラスな濾過網に結合し合い、或いは当該第４級アンモニウム化合物が非反応型である時に、界面接続方式により当該ポーラスな濾過網に結合し固着し、
その中でも、当該解体可能な取付対応部に当該ポーラスな濾過網が設けられ、圧力にて当該濾過区に押え付ける方式により、当該ポーラスな濾過網を設け、或いは粘着方式又は金属網の溶接や係合固定の方式により、当該濾過区が当該特定な取付部や取付対応部に接合し、
その中でも、当該ポーラスな濾過網を設けるのは、粘着方式又は金属網の溶接や係合固定の方式により、当該特定な取付部と取付対応部との間に接合し合うもので、
その中でも、当該取付対応部は、取付圧条を含むフレームであってもよく、或いは取付圧条のみによりさらに当該特定な取付部上に取り付けられてもよいことを特徴とする、エアコン・システム用の解体可能な濾過装置。
【請求項１２】
当該ポーラスな濾過網の濾過区の中にナノ金やナノ銀のぺレットが付加され、当該ナノ金やナノ銀のぺレットが化学蒸着により、或いはポーラスな濾過網の濾過区の中におけるカチオン含有樹脂にイオン状の金やイオン状の銀を吸着することにより還元されてなることを特徴とする、請求項１１記載のエアコン・システム用の解体可能な濾過装置。
【請求項１３】
当該織り型のポーラスな濾過網材料は、ＨＥＰＡまたはＵＬＰＡであることを特徴とする、請求項１１記載のエアコン・システム用の解体可能な濾過装置。
【請求項１４】
当該ポーラスな濾過網は、化学結合により反応型の第４級アンモニウム化合物と結合できる以外に、さらに界面接続方式により永久に非反応型の第４級アンモニウム塩類にも結合し固着でき、そしてメンテナンス・エアコン・システムの洗浄時に除去されにくく、且つエアコン・システムの中に適用できることを特徴とする、請求項１１記載のエアコン・システム用の解体可能な濾過装置。
【請求項１５】
当該特定な取付部が光源照射部に設けられる時に、ひいては当該ポーラスな濾過網の濾過区の中に、光触媒のナノ・ぺレットが付加され、当該光触媒のナノ・ぺレットは、濾過網がチタニア溶液に浸漬した後に乾燥してなり、或いはチタニア溶液が濾過網にスプレーされることにより、ナノ光触媒ぺレットが形成されることを特徴とする、請求項１１記載のエアコン・システム用の解体可能な濾過装置。
【請求項１６】
織り型のポーラスな濾過網は、単枚または複数枚の綿シートや織布の濾過網で、その中でも、金属網型のポーラスな濾過網は、単枚または複数枚の各種な金属や厚さの異なる金属フィラメント・メッシュ・シートであることを特徴とする、請求項１１記載のエアコン・システム用の解体可能な濾過装置。
【請求項１７】
エアコン・システム用の解体可能な濾過装置の取付方法は、請求項１１記載のエアコン・システム用の解体可能な濾過装置を取り付ける方法であって、
（１）ポーラスな濾過網及び取付対応部を製作するステップと、
（２）ポーラスな濾過網と取付対応部をともにエアコン・システム通気管路の特定な取付部に取り付けるステップと、を含み、
その中でも、当該解体可能な取付対応部に当該ポーラスな濾過網が設けられ、圧力にて当該濾過区に押え付ける方式により当該ポーラスな濾過網が設けられ、或いは粘着方式や金属網の溶接または係合固定の方式により当該ポーラスな濾過網の濾過区が取付部や取付対応部のフレームに接合し、
その中でも、当該ポーラスな濾過網が設けられた時に、当該濾過区が当該特定な取付部と当該取付対応部との間に挟まれ、
その中でも、当該取付対応部は、取付圧条を含むフレームであってもよく、或いは取付圧条のみによりさらに当該特定な取付部上に取り付けられてもよいことを特徴とする、エアコン・システム用の解体可能な濾過装置の取付方法。
【発明の詳細な説明】
【技術分野】
【０００１】
本発明は、エアコン・システム用の解体可能な濾過装置および取付方法に関し、即ち中空リング状フレームがポーラスな濾過網に対応して解体可能な取付方式によりエアコン・システム通気管路の特定な取付部に取り付けられ、且つ従来の薬剤による空気の洗浄をする清浄方式よりも優れる。
【背景技術】
【０００２】
食品生産工業中では、無菌環境が相当に重要で、且つ近年、空気殺菌浄化能力は、各種な建築のエアコン・システムに積極的に研究し且つ開発する項目である。
その使用する技術方式、例えばオゾン、アニオンの生成および光触媒殺菌材料などが各種な工業、商業と家庭用場所に適用できることにより、殺菌消毒の需要を達成できる。
例えば工業上における周知の細菌の高生産区の食品工場区域において、空気殺菌浄化装置を設ければ、多数の伝染病の可能な発生を避けることが出来、同様に幾つかの陳列する商品の売店などの商業場所において、空気中に食品により細菌を累積するのは、避けにくく（特にさらにメンテナンスの時に従業員に対し感染の損害をもたらす）、ここに空気殺菌浄化装置を設ければ、殺菌し消毒できる。家庭用の時には、空気殺菌浄化能力を具する空気浄化装置がさらに健康の保証となる。
従って各種な空気殺菌浄化装置は、次第に広範に応用し且つ発展するエアコン基本技術となり、その構築の方式も各軒の製造業者の研究開発の重点で、そして構造の実用な程度およびランニング・コストの低減がさらに空気殺菌浄化技術の研究改善の重点であることを言える。
【０００３】
伝統的な室内空気清潔方式、例えばビル内の細菌感染の防止は、ビルの通気場所に薬品を加えて気体洗浄装置（scrubber）にスプレーし且つ有害な気体を除去する吸収装置である。
ただし、この方式は中型の化工設備と桶槽を増設する必要があり、一般な広がった工場の建物の食品または化学工場に対し適用するかもしれないが、然しながら空間の応用に対し緊迫な中小型の建物に言えば、相当に不便な設計となり、従ってより研究して改善する必要がある。取付の手順に寄与する構造および方法を研究する必要があり、実際な応用の要求を合致する。
【０００４】
従って新設した空気殺菌浄化装置は、強大な殺菌能力および省エネルギー・省スペースの構造を需要し、且つ空気流動の自然原理を合致する。
従って最も便利な装置を見出して技術を手配することにより、本発明はより直接的で且つランニング・コストが安価であり、さらに簡単な解体と取付を要求することにより、メンテナンスに対し邪魔をもたらさない。
本発明者は本発明を鋭意研究して前述の需要を達成することを招く。
【発明の開示】
【発明が解決しようとする課題】
【０００５】
本発明の主要な目的は、解体と取付に寄与する空間清潔装置を提供することにあり、既存のエアコン・システム構造に適応でき、且つランニング・コストの安価な第４級アンモニウムの殺菌機能を具するエアコン・システム用の濾過材の構造及びその製作方法を運用でき、病院，工業，商業及びビル・住宅用と交通機関のエアコン・システム用の濾過材の構造に使用でき、さらに既存のエアコン設備の構造に安価な第４級アンモニウム材料を応用することによりコストを低減し、コストの低い高品質の効果を提供できる。
【課題を解決するための手段】
【０００６】
前述の目的を達成するために、本発明は、ポーラスな濾過網及び中空リング状フレームを主要な構造とする濾過装置を提供するが、中空リング状フレームに対応してエアコン・システム通気を嵌め込み、特別な区域により取付構造が簡単となり、メンテナンスしやすく、且つ従来の技術の第４級アンモニウム塩をポーラスな濾過網の上に設置して空気の流動によりポーラスな濾過網のホールを突き抜ける方法は、発明の重要な構造となり、エアコン設備の出入口または管路中の既存の空気対流の利用に対応し、第４級アンモニウム塩の殺菌機能のエアコン・システム用の濾過材の構造及びその製作方法を構成する。
【０００７】
本発明の構造は、主としてエッジ固定区と濾過区を具するポーラスな濾過網と、寸法とエアコン・システム通気管路の特定な取付部の内縁嵌合の外枠を具し当該特定な取付部に解体可能的に取り付けられ且つ当該中空リング状フレームの中央が空気流動区域である中空リング状フレームと、を含み、その中でも、当該濾過区に第４級アンモニウム類化合物が付加され、当該第４級アンモニウム化合物が化学結合により当該ポーラスな濾過網に結合し合い、或いは当該第４級アンモニウム化合物が非反応型である時に、界面接続方式により当該ポーラスな濾過網に結合し固着し、その中でも、当該固定区が当該エアコン・システム・ガスベントの解体可能な中空リング状フレームに設けられ、当該濾過区が当該中空リング状フレームの中央空気流動区域に取り付けられ、その中でも、当該中空リング状フレームに当該ポーラスな濾過網を設けるのは、外枠の圧力にて当該エッジ固定区に押え付ける方式により、当該ポーラスな濾過網を設け、或いは粘着方式又は金属網の溶接や係合固定の方式により、当該エッジ固定区が中空リング状フレームに接合するもので、当該解体可能な中空リング状フレームを使用し、当該ポーラスな濾過網を設け、圧力押え付け方式や粘着方式または金属網の溶接や係合固定の方式にて、化合物が反応し、且つガスベントの空気が流動することにより、通過した空気の殺菌・消毒の効果を達成し、当該濾過区に付加された第４級アンモニウム類化合物の反応とガスベントの空気流動により、通過した空気の殺菌・消毒の効果を達成する。
【０００８】
本発明の方法は、主として（１）ポーラスな濾過網及び中空リング状フレームを製作することと、（２）ポーラスな濾過網と中空リング状フレームをともにエアコン・システム通気管路の特定な取付部に取り付けることと、を含み、その中でも、当該解体可能な中空リング状フレームに当該ポーラスな濾過網が設けられ、外枠の圧力にて当該エッジ固定区に押え付ける方式により当該ポーラスな濾過網を設ける時に、当該エッジ固定区が当該特定な取付部と当該外枠との間に挟まれ、その中でも、当該解体可能な中空リング状フレームに当該ポーラスな濾過網を設けるのは、粘着方式や金属網の溶接または係合固定の方式により当該エッジ固定区が中空リング状フレームに接合する時に、当該エッジ固定区が当該外枠上に固定され、さらに当該外枠が当該定な取付部に取り付けられるものである。
【発明の効果】
【０００９】
本発明は、下記のような利点を具する。
（１）取付と設置が簡単で必要な人件工数の要求があまり高くないこと。
（２）体積が小さくて取付の便利性が良いこと。
（３）伝統的な通気設備が依然として使用できること。
（４）伝統的な風管の形状に対応できること。
【００１０】
本発明の特徴および技術内容をより理解できるために、以下の本発明に関する詳細な説明及び添付の図面を参照する。
しかしながら添付の図面は参考と説明用にだけ供し、本発明をより限定するように用いられるものではない。
【発明を実施するための最良の形態】
【００１１】
本発明の分解組合の実施例である図１，図２Ｄ及び図３Ｂ、本発明の四角形のポーラスな濾過網の構成例の３種類の模式図である図２Ａ，図２Ｂ及び図２Ｃ、その他に本発明の部分組合の実施例である図３Ａを参照する。
エアコン管路中の特定な通気地帯の上に、エッジ固定区２２と濾過区２４とを具するポーラスな濾過網２０が設けられる。
中空リング状フレーム１０（図１における中空リング状フレーム１０がポーラスな濾過網２０を粘着して更に取付対応部３２を入れて特定な取付部３０に設置できる）が寸法とエアコン・システム通気管路の特定な取付部３０の内縁嵌合の外枠を具し、当該特定な取付部３０（図３Ａにおける中空リング状フレーム１０が対応リング１１を入れて更に対応リング基台１２により特定な取付部３０に設置できる）に解体可能的に取付けられる。且つ当該中空リング状フレーム１０の中央が空気流動区域で、その中でも、当該濾過区２４に第４級アンモニウム類化合物が付加される。当該第４級アンモニウム化合物が化学結合により当該ポーラスな濾過網２０に結合し合い、或いは当該第４級アンモニウム化合物が非反応型である時に、界面接続方式により当該ポーラスな濾過網２０に結合し固着する。
当該固定区が当該エアコン・システム・ガスベントの解体可能な中空リング状フレーム１０に設けられ、当該濾過区が当該中空リング状フレーム１０の中央空気流動区域に取り付けられる。
その中でも、当該中空リング状フレーム１０に当該ポーラスな濾過網２０を設けるのは、外枠の圧力にて当該エッジ固定区２２に押え付ける方式により、当該ポーラスな濾過網２０を設け、或いは粘着方式又は金属網の溶接や係合固定の方式により、当該エッジ固定区２２が中空リング状フレームに接合する。
当該解体可能な中空リング状フレーム１０を使用し、当該ポーラスな濾過網２０を設け、圧力押え付け方式や粘着方式または金属網の溶接や係合固定の方式にて、ガスベントの空気流動に対応することにより、通過した空気の殺菌・消毒の効果を達成し、当該濾過区に付加された第４級アンモニウム類化合物の反応とガスベントの空気流動により、通過した空気の殺菌・消毒の効果を達成する。
更にエアコン管路の内部圧力差を通じてエアコン循環にて推進し、その後に運転をより続けることにより、以上の技術の叙述のように、本装置の運転を陳明できる。
【００１２】
本発明の実施例における綿網・鉄網共用型ポーラスな濾過網の構成例一ないし構成例四の模式図の分解組合の実施例である図４Ａ，図４Ｂ，図４Ｃ及び図４Ｄを参照する。
エアコン管路中の特定な通気地帯の上に取付けられたポーラスな濾過網２０（即ち織り型のポーラスな濾過網２０１及び金属網型ポーラスな濾過網２０２）（織り型のポーラスな濾過網２０１が単枚または複数枚の綿シートや織布の濾過網であってもよく、或いはその中でも金属網型のポーラスな濾過網２０２も単枚または複数枚の各種な金属や厚さの異なる金属フィラメント・メッシュ・シートであってもよい）が設けられ、固定した取付圧条３２１を取付ける固定濾過区２４（即ち織り型の濾過区２４１及び金属網型濾過区２４２がそれぞれ細濾過と粗濾過を実行する）（図４Ａないし図４Ｄにおける濾過網２０が平面または折畳み状であってもよい）を使用する。
その中でも特定な取付部３０及び取付対応部３２が寸法とエアコン・システム通気管路の特定な区域の内縁嵌合の外枠を具し、取付対応部３２が当該特定な取付部３０に解体可能的に取付けられれ、且つ当該濾過区２４の中央が空気流動区域で、その中でも、当該濾過区２４に第４級アンモニウム類化合物が付加される。当該第４級アンモニウム化合物が化学結合により当該ポーラスな濾過網２０に結合し合い、或いは当該第４級アンモニウム化合物が非反応型である時に、界面接続方式により当該ポーラスな濾過網２０に結合し固着する。
当該固定区が当該エアコン・システム・ガスベントの解体可能な中空リング状フレーム１０に設けられ、その中でも、当該特定な取付部３０に当該ポーラスな濾過網２０を設けるのは、取付圧条３２１の圧力にて当該濾過区２４に押え付ける方式により、当該ポーラスな濾過網２０を設け、或いは粘着方式又は金属網の溶接や係合固定の方式により、当該濾過区２４が取付部３０または取付対応部３２のフレームに接合する（即ち織り型の濾過区２４１が取付圧条３２１の圧力により押え付けて対応でき、金属網型濾過区２４２が金属網の溶接や係合固定の方式により押え付けて対応できる）。
当該解体可能な取付対応部３２に当該ポーラスな濾過網２０を設け、圧力押え付け方式や粘着方式または金属網の溶接や係合固定の方式にて、ガスベントの空気流動に対応することにより、通過した空気の殺菌・消毒の効果を達成し、当該濾過区に付加された第４級アンモニウム類化合物の反応とガスベントの空気流動により、通過した空気の殺菌・消毒の効果を達成する。
更にエアコン管路の内部圧力差を通じてエアコン循環にて推進し、その後に運転をより続けすることにより、以上の技術の叙述のように、本装置の運転を陳明できる。
【００１３】
ひいては本発明のエアコン・システム用のポーラスな濾過網２０を製造する方法を説明する必要がある。
まず第４級アンモニウム塩溶液を調製する必要があり、第４級アンモニウム塩を水中に放置（希釈）して攪拌・溶解し（非反応型である時に適當量の界面接続剤）、更にポーラスなキャリヤーを当該第４級アンモニウム塩溶液中に浸漬することにより、完全に潤湿し、当該ポーラスなキャリヤーを取り出し、３０〜１２０℃（６０〜８０℃が好ましい）と３〜３０分間で、固着および乾燥手順を行う。
或いは第４級アンモニウム塩溶液をポーラスなキャリヤーに均一にスプレーし、同じ温度と時間にて固着および乾燥手順を行う。
【００１４】
本発明のエアコン設備は、クーラー，暖房，除湿機およびセントラルエアコンの各箇所のガスベント装置であってもよく、建物内のエアコン設備の以外に、更に交通機関、例えば汽車，自動車および飛行機，船舶のエアコン設備の各ガスベント装置上に設置できるエアコン設備であってもよい。
【００１５】
当該ポーラスな濾過網２０がガラス繊維成分を具する時に、アルコキシ第４級アンモニウム塩（反応型）を応用し、これと反応してＯ−Ｓｉ−Ｏの共有結合を生成でき、洗浄・除去しにくい機能を具し、その中でも当該繊維材料もＨＥＰＡまたはＵＬＰＡ（Ultra particulate air filter（超濾過空気フィルター）材料の略称）であってもよい。
更に非反応型の第４級アンモニウム塩もを使用し且つ界面接続剤を入れることが出来、当該繊維との間に互いに結合し固着し、そしてメンテナンス・エアコン・システムの洗浄時に除去されにくい。
【００１６】
本発明は、常用した第４級アンモニウム塩をポーラスな濾過網２０の中に散布し且つエアコン設備のガスベント中に設け、そのガスベントの気流の循環を利用して第４級アンモニウム塩の作用にて空気を殺菌・消毒し且つ循環することにより、エアコン・システムの各箇所の空気の清浄消毒を達成できる。
【００１７】
本発明の方法は、（１）ポーラスな濾過網２０及び中空リング状フレーム１０を製作し、更に（２）ポーラスな濾過網２０と中空リング状フレーム１０をともにエアコン・システム通気管路の特定な取付部３０に取り付ける。
当該解体可能な中空リング状フレーム１０に当該ポーラスな濾過網２０が設けられ、外枠の圧力にて当該エッジ固定区２２に押え付ける方式により当該ポーラスな濾過網２０を設ける時に、当該エッジ固定区が当該特定な取付部３０と当該外枠との間に挟まれる。
当該解体可能な中空リング状フレーム１０に当該ポーラスな濾過網２０を設けるのは、粘着方式や金属網の溶接または係合固定の方式により当該エッジ固定区２２が中空リング状フレーム１０に接合する時に、当該エッジ固定区２２が当該外枠上に固定され、さらに当該外枠が当該定な取付部３０に取り付けられる。
【００１８】
本発明の方法（図４Ａないし図４Ｄの取付方法）は、（１）ポーラスな濾過網２０及び取付対応部３２を製作し、更に（２）ポーラスな濾過網２０と取付対応部３２をともにエアコン・システム通気管路の特定な取付部３０に取り付ける。
当該解体可能な取付対応部３２に当該ポーラスな濾過網２０が設けられ、圧力にて当該濾過区２４に押え付ける方式により当該ポーラスな濾過網２０が設けられ、或いは粘着方式や金属網の溶接または係合固定の方式により当該濾過区２４が取付部３０や取付対応部３２のフレームに接合し、当該ポーラスな濾過網２０が設けられた時に、当該濾過区２４が当該特定な取付部３０と当該取付対応部３２との間に挟まれる。
当該取付対応部３２は、取付圧条３２１を含むフレームであってもよく、或いは取付圧条３２１のみによりさらに当該特定な取付部３０上に取り付けられてもよい。
【００１９】
本発明の各種な変更の実施例は、下記の叙述のように、その中でも、ひいては当該ポーラスな濾過網の濾過区２４の中にナノ金やナノ銀のぺレットが付加され、当該ナノ金やナノ銀のぺレットが化学蒸着により、或いはポーラスな濾過網の濾過区の中におけるカチオン含有樹脂にイオン状の金やイオン状の銀を吸着することにより還元されてなる。
当該中空リング状フレーム１０は、四角形または円形のフレームであってもよく、その中でも、当該中空リング状フレーム１０は、截頭柱の管形通気管路であってもよい。
当該ポーラスな濾過網２０は、繊維により織られ、或いは発泡により成型され、或いは金属網により織られ、その中でも、当該繊維は、ガラス繊維成分を具し、その中でも、当該繊維材料は、ＨＥＰＡまたはＵＬＰＡで、その中でも、当該ポーラスな濾過網２０は、化学結合により反応型の第４級アンモニウム化合物と結合できる以外に、さらに界面接続方式により永久に非反応型の第４級アンモニウム塩類にも結合し固着でき、そしてメンテナンス・エアコン・システムの洗浄時に除去されにくく、且つエアコン・システムの中に適用できる。
当該特定な取付部３０が光源照射部に設けられる時に、ひいては当該ポーラスな濾過網２０の濾過区２４の中に、光触媒のナノ・ぺレットが付加され、当該光触媒のナノ・ぺレットは、濾過網がチタニア溶液に浸漬した後に乾燥してなり、或いはチタニア溶液が濾過網にスプレーされることにより、ナノ光触媒ぺレットが形成されることが出来る。
【図面の簡単な説明】
【００２０】
【図１】本発明の実施例における円管状エアコン管路の特定な取付部の取付構成の模式図である。
【図２Ａ】本発明の実施例における四角形のポーラスな濾過網の構成例一の模式図である。
【図２Ｂ】本発明の実施例における四角形のポーラスな濾過網の構成例二の模式図である。
【図２Ｃ】本発明の実施例における四角形のポーラスな濾過網の構成例三の模式図である。
【図２Ｄ】本発明の実施例における四角形の中空リング状フレームがポーラスな濾過網に対応する構成例の模式図である。
【図３Ａ】本発明の実施例における円環形の中空リング状フレームがポーラスな濾過網に対応する構成例の模式図である。
【図３Ｂ】本発明の実施例における円環形の中空リング状フレームがポーラスな濾過網に対応する特定な取付部の構成例の模式図である。
【図４Ａ】本発明の実施例における綿網・鉄網共用型ポーラスな濾過網の構成例一の模式図である。
【図４Ｂ】本発明の実施例における綿網・鉄網共用型ポーラスな濾過網の構成例二の模式図である。
【図４Ｃ】本発明の実施例における綿網・鉄網共用型ポーラスな濾過網の構成例三の模式図である。
【図４Ｄ】本発明の実施例における綿網・鉄網共用型ポーラスな濾過網の構成例四の模式図である。
【符号の説明】
【００２１】
１０  中空リング状フレーム
１１  対応リング
１２  対応リング基台
２０  ポーラスな濾過網
２２  エッジ固定区
２４  濾過区
３０  特定な取付部
３２  取付対応部
２０１  織り型のポーラスな濾過網
２０２  金属網型ポーラスな濾過網
２４１  織り型の濾過区
２４２  金属網型濾過区
３２１  取付圧条
【図１】
2007061596.tif 000003
【図２Ａ】
2007061596.tif 000004
【図２Ｂ】
2007061596.tif 000005
【図２Ｃ】
2007061596.tif 000006
【図２Ｄ】
2007061596.tif 000007
【図３Ａ】
2007061596.tif 000008
【図３Ｂ】
2007061596.tif 000009
【図４Ａ】
2007061596.tif 000010
【図４Ｂ】
2007061596.tif 000011
【図４Ｃ】
2007061596.tif 000012
【図４Ｄ】
2007061596.tif 000013